(57)【要約】【課題】構成を複雑化することなく、タップ操作を不要として、携帯端末を両手で持ったまま安定した状態で操作可能とする。【解決手段】タッチパネル１０を用いて表示及び入力操作を行うようにされたタッチパネル式携帯端末（タブレットＰＣ１）において、操作者の両手指をタッチパネル１０に押し付けたまま、タッチパネル１０の中央に向けてドラッグする第１の両手指ドラッグ操作、及び、タッチパネルの端に向けてドラッグする第２の両手指ドラッグ操作を検出するドラッグ操作検知部４０と、前記第１の両手指ドラッグ操作又は第２の両手指ドラッグ操作に応じて、前記タッチパネル１０に表示させる画像を制御するための表示制御部４２と、を備える。【選択図】図６
2015108901.tif 000002
【特許請求の範囲】
【請求項１】
タッチパネルを用いて表示及び入力操作を行うようにされたタッチパネル式携帯端末において、
操作者の両手指をタッチパネルに押し付けたまま、タッチパネルの中央に向けてドラッグする第１の両手指ドラッグ操作、及び、タッチパネルの端に向けてドラッグする第２の両手指ドラッグ操作を検出するドラッグ操作検知部と、
前記第１の両手指ドラッグ操作又は第２の両手指ドラッグ操作に応じて、前記タッチパネルに表示させる画像を制御するための表示制御部と、
を備えたことを特徴とするタッチパネル式携帯端末。
【請求項２】
前記表示制御部が、前記第１又は第２の両手指ドラッグ操作が検出された時は、画面内に埋め込まれている非表示状態の画像又は縮小状態で表示されている画像を表示又は拡大表示し、前記第２又は第１の両手指ドラッグ操作が検出された時は、前記表示又は拡大表示されている画像を非表示又は縮小表示状態とするようにされていることを特徴とする請求項１に記載のタッチパネル式携帯端末。
【請求項３】
前記画像の表示と拡大が段階的に行われることを特徴とする請求項２に記載のタッチパネル式携帯端末。
【請求項４】
前記画像の非表示又は縮小が一気に行われることを特徴とする請求項２に記載のタッチパネル式携帯端末。
【請求項５】
複数の画像が埋め込まれている場合は、スクロール操作により前後の画像が拡大又は縮小表示されることを特徴とする請求項２乃至４のいずれかに記載のタッチパネル式携帯端末。
【請求項６】
前記表示制御部が、前記第１又は第２の両手指ドラッグ操作が検出された時は、動画の再生を開始するか、又は、再生中の動画を拡大し、前記第２又は第１の両手指ドラッグ操作が検出された時は、動画の再生を停止するか、又は、再生中の動画を縮小するようにされていることを特徴とする請求項１に記載のタッチパネル式携帯端末。
【請求項７】
測定装置と通信自在に接続されることを特徴とする請求項１乃至６のいずれかに記載のタッチパネル式携帯端末。
【請求項８】
タッチパネルを用いて表示及び入力操作を行うようにされたタッチパネル式携帯端末の表示制御方法において、
操作者の両手指をタッチパネルに押し付けたまま、タッチパネルの中央に向けてドラッグする第１の両手指ドラッグ操作、及び、タッチパネルの端に向けてドラッグする第２の両手指ドラッグ操作を検出し、
前記第１の両手指ドラッグ操作又は第２の両手指ドラッグ操作に応じて、前記タッチパネルに表示させる画像を制御することを特徴とするタッチパネル式携帯端末の表示制御方法。
【請求項９】
前記第１又は第２の両手指ドラッグ操作が検出された時は、画面内に埋め込まれている非表示状態の画像又は縮小状態で表示されている画像を表示又は拡大表示し、前記第２又は第１の両手指ドラッグ操作が検出された時は、前記表示又は拡大表示されている画像を非表示又は縮小表示とすることを特徴とする請求項８に記載のタッチパネル式携帯端末の表示制御方法。
【請求項１０】
前記第１又は第２の両手指ドラッグ操作が検出された時は、動画の再生を開始するか、又は、再生中の動画を拡大し、前記第２又は第１の両手指ドラッグ操作が検出された時は、動画の再生を停止するか、又は、再生中の動画を縮小することを特徴とする請求項８に記載のタッチパネル式携帯端末の表示制御方法。
【請求項１１】
タッチパネルを用いて表示及び入力操作を行うようにされたタッチパネル式携帯端末の表示を制御するためのコンピュータプログラムにおいて、コンピュータに、
操作者の両手指をタッチパネルに押し付けたまま、タッチパネルの中央に向けてドラッグする第１の両手指ドラッグ操作、及び、タッチパネルの端に向けてドラッグする第２の両手指ドラッグ操作を検出する処理と、
前記第１の両手指ドラッグ操作又は第２の両手指ドラッグ操作に応じて、前記タッチパネルに表示させる画像を制御する処理を実行させることを特徴とするコンピュータプログラム。
【請求項１２】
前記画像を制御する処理が、前記第１又は第２の両手指ドラッグ操作が検出された時は、画面内に埋め込まれている非表示状態の画像又は縮小状態で表示されている画像を表示又は拡大表示し、前記第２又は第１の両手指ドラッグ操作が検出された時は、前記表示又は拡大表示されている画像を非表示又は縮小表示する処理であることを特徴とする請求項１１に記載のコンピュータプログラム。
【請求項１３】
前記画像を制御する処理が、前記第１又は第２の両手指ドラッグ操作が検出された時は、動画の再生を開始するか、又は、再生中の動画を拡大し、前記第２又は第１の両手指ドラッグ操作が検出された時は、動画の再生を停止するか、又は、再生中の動画を縮小する処理であることを特徴とする請求項１１に記載のコンピュータプログラム。
【発明の詳細な説明】
【技術分野】
【０００１】
本発明は、タッチパネル式携帯端末、その表示制御方法及びコンピュータプログラムに係り、特に、スマートフォンより大画面のタブレット型パーソナルコンピュータ（以下、タブレットＰＣと称する）を両手で持ったまま安定した状態で操作することが可能な、タッチパネル式携帯端末、その表示制御方法及びコンピュータプログラムに関する。
【背景技術】
【０００２】
スマートフォンより大画面のタブレットＰＣを測定機の制御用コンピュータとして利用する上で、操作ミスや落下の危険性を高める「片手で保持しながらの操作」が障壁となっている。タブレットＰＣの代表的な操作に、マウスのクリック操作に相当するタップというタッチパネル操作がある。
【０００３】
図１のように大型ディスプレイ（図ではタッチパネル１０）のタブレットＰＣ１の場合、両手２、４で保持するのが最も安定した持ち方であるが、表示画面中に埋め込まれている画像や動画ファイルを再生する場合は、図２のように画像アイコンや動画の再生ボタン１６を指でタップしなければならず、タブレットＰＣ１から片方の手（図２の例では右手２）を離さなければ操作が難しい。
【０００４】
大型ディスプレイ（タッチパネル）のタブレットＰＣでは、片手で長時間保持するのは難しく、タップ操作をする場合もタッチパネルの固定が不安定なので操作ミスを起こしやすい。また片手で保持している状態では、常にタブレットＰＣを落とす危険性も高くなってしまう。
【０００５】
タブレットＰＣは両手で保持する状態が最も安定するため、これらの操作をタブレットＰＣから手を離さずにできれば、安定性が増すだけでなく、タブレットＰＣを落とすなどの事故も少なくすることができる。
【０００６】
なお、本発明のように両手で持ったままの操作を可能とするものではないが、画面サイズの小さい携帯端末を片方の手で持ちながら、もう片方の手でタッチ入力する際の操作性を高める技術として、特許文献１には、携帯端末を片手で保持した時の（親）指がタッチパネルに接触している位置を検出し、その接触位置に近い位置にユーザーインターフェースの位置を変更して表示することが記載されている。
【０００７】
又、特許文献１と同様に、片方の手で持ちながら行う操作をしやすくするための技術が特許文献２、３にも記載されている。
【０００８】
一方、特許文献４には、両手で持った状態での入力操作を容易化するため、左右の撮像素子から得られる画像の視差によるずれから３次元位置を出力する３次元距離センサーを携帯端末に搭載し、該３次元距離センサーから得られた顔や手の３次元位置情報を利用して携帯端末上の操作しやすい位置に操作対象を移動して表示することが記載されている。
【先行技術文献】
【特許文献】
【０００９】
【特許文献１】特開２０１３−１２５４７１号公報
【特許文献２】特開２００２−７３２４９号公報
【特許文献３】特開２０１０−７９４４２号公報
【特許文献４】特開２０１２−１５５４８０号公報
【発明の概要】
【発明が解決しようとする課題】
【００１０】
しかしながら、特許文献１に記載の技術でユーザーインターフェースが親指の近くに表示された時に操作しやすくなるのは、他の４本の指で携帯端末の背面を支え、親指を自由に動かせるような場合であり、画面サイズの小さい携帯端末を想定している。特許文献２、３も同様に、本発明のように両手で持ったままの操作を可能とするものではなく、特許文献４は、３次元距離センサーを設ける必要があり、構成が複雑でコストも高くなるという問題点を有していた。
【００１１】
本発明は、前記従来の問題を解消するべくなされたもので、構成を複雑化することなく、タップ操作を不要として、携帯端末を両手で持ったまま安定した状態で操作可能とすることを課題とする。
【課題を解決するための手段】
【００１２】
本発明は、タッチパネルを用いて表示及び入力操作を行うようにされたタッチパネル式携帯端末において、操作者の両手指をタッチパネルに押し付けたまま、タッチパネルの中央に向けてドラッグする第１の両手指ドラッグ操作、及び、タッチパネルの端に向けてドラッグする第２の両手指ドラッグ操作を検出するドラッグ操作検知部と、前記第１の両手指ドラッグ操作又は第２の両手指ドラッグ操作に応じて、前記タッチパネルに表示させる画像を制御するための表示制御部と、を備えることにより、前記課題を解決したものである。
【００１３】
ここで、前記表示制御部は、前記第１又は第２の両手指ドラッグ操作が検出された時は、画面内に埋め込まれている非表示状態の画像又は縮小状態で表示されている画像を表示又は拡大表示し、前記第２又は第１の両手指ドラッグ操作が検出された時は、前記表示又は拡大表示されている画像を非表示又は縮小表示状態とすることができる。
【００１４】
又、前記画像の表示と拡大を段階的に行うことができる。
【００１５】
又、前記画像の非表示又は縮小を一気に行うことができる。
【００１６】
又、複数の画像が埋め込まれている場合は、スクロール操作により前後の画像を拡大又は縮小表示することができる。
【００１７】
又、前記表示制御部は、前記第１又は第２の両手指ドラッグ操作が検出された時は、動画の再生を開始するか、又は、再生中の動画を拡大し、前記第２又は第１の両手指ドラッグ操作が検出された時は、動画の再生を停止するか、又は、再生中の動画を縮小することができる。
【００１８】
又、前記タッチパネル式携帯端末は、測定装置と通信自在に接続することができる。
【００１９】
本発明は、又、タッチパネルを用いて表示及び入力操作を行うようにされたタッチパネル式携帯端末の表示制御方法において、操作者の両手指をタッチパネルに押し付けたまま、タッチパネルの中央に向けてドラッグする第１の両手指ドラッグ操作、及び、タッチパネルの端に向けてドラッグする第２の両手指ドラッグ操作を検出し、前記第１の両手指ドラッグ操作又は第２の両手指ドラッグ操作に応じて、前記タッチパネルに表示させる画像を制御することを特徴とするタッチパネル式携帯端末の表示制御方法により、同様に前記課題を解決したものである。
【００２０】
ここで、前記第１又は第２の両手指ドラッグ操作が検出された時は、画面内に埋め込まれている非表示状態の画像又は縮小状態で表示されている画像を表示又は拡大表示し、前記第２又は第１の両手指ドラッグ操作が検出された時は、前記表示又は拡大表示されている画像を非表示又は縮小表示することができる。
【００２１】
又、前記第１又は第２の両手指ドラッグ操作が検出された時は、動画の再生を開始するか、又は、再生中の動画を拡大し、前記第２又は第１の両手指ドラッグ操作が検出された時は、動画の再生を停止するか、又は、再生中の動画を縮小することができる。
【００２２】
本発明は、又、タッチパネルを用いて表示及び入力操作を行うようにされたタッチパネル式携帯端末の表示を制御するためのコンピュータプログラムにおいて、コンピュータに、
操作者の両手指をタッチパネルに押し付けたまま、タッチパネルの中央に向けてドラッグする第１の両手指ドラッグ操作、及び、タッチパネルの端に向けてドラッグする第２の両手指ドラッグ操作を検出する処理と、
前記第１の両手指ドラッグ操作又は第２の両手指ドラッグ操作に応じて、前記タッチパネルに表示させる画像を制御する処理を実行させることを特徴とするコンピュータプログラムにより、同様に前記課題を解決したものである。
【００２３】
ここで、前記画像を制御する処理は、前記第１又は第２の両手指ドラッグ操作が検出された時は、画面内に埋め込まれている非表示状態の画像又は縮小状態で表示されている画像を表示又は拡大表示し、前記第２又は第１の両手指ドラッグ操作が検出された時は、前記表示又は拡大表示されている画像を非表示又は縮小表示する処理とすることができる。
【００２４】
又、前記画像を制御する処理は、前記第１又は第２の両手指ドラッグ操作が検出された時は、動画の再生を開始するか、又は、再生中の動画を拡大し、前記第２又は第１の両手指ドラッグ操作が検出された時は、動画の再生を停止するか、又は、再生中の動画を縮小する処理とすることができる。
【発明の効果】
【００２５】
本発明によれば、画像の選択や動画の再生などを、携帯端末から両手を離さずに安定した状態で操作することができるようになるので、以下のような効果を期待できる。
【００２６】
（１）使い勝手の向上
本発明のタッチパネルユーザーインターフェースにより、画像の選択や動画の再生のためのタップ操作を不要とすることができるので、閲覧操作性を向上し、操作ミスを低減して、タブレットＰＣの操作性及び利便性を向上することができる。
【００２７】
（２）安全性の向上
タブレットＰＣを保持している両手を離す必要のある操作が少なくなることにより、タブレットＰＣを落とすなどの事故を減らすことが可能となる。この点は産業界だけでなく、一般ユーザーで応用する場合も効果を発揮する。例えば、保持力の小さい子どもや老人が操作する場合は、片手保持により非常に不安定な状態となり、落下の危険性が高くなる。また病室のベッドで横になりながら操作する場合は、成人でも片手保持が難しいため、タップ操作の片手保持操作の頻度を減らすことが安全性の面で重要である。
【図面の簡単な説明】
【００２８】
【図１】従来の問題点を説明するための、タブレットＰＣを両手で持った状態を示す正面図
【図２】同じくタップ操作をしている状態を示す正面図
【図３】本発明の実施形態の正面図
【図４】同じくハードウェア構成を示すブロック図
【図５】同じく機能構成を示すブロック図
【図６】同じく第１実施形態の操作状態を示す正面図
【図７】同じく処理手順を示す流れ図
【図８】同じく第２実施形態の操作状態を示す正面図
【図９】同じく処理手順を示す流れ図
【発明を実施するための形態】
【００２９】
以下、図面を参照して、本発明の実施の形態について詳細に説明する。尚、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００３０】
本発明の実施形態は、本発明を、図３に例示される、外形が略長方形のタブレットＰＣ１に適用したものである。図３のように、タッチパネル１０を囲むいわゆる額縁部分は狭く、前面の大半がタッチパネル１０で占められている。
【００３１】
前記タブレットＰＣ１には、その周辺部分への物体の接触を検出する接触センサー２０（図３は図示省略。図４、図５参照）が配置されている。該接触センサー２０は、両方の手で持たれたか片方の手で持たれたかの判別が可能な程度の分解能で接触位置およびその数を検出することができる。
【００３２】
なお、図示は省略されているが、タブレットＰＣ１の外面には、電源スイッチ、ボリュウム操作部、カメラのレンズ窓、スピーカーによる音声出力のための通気部、コネクタ、ジャックなど、各種のインタフェースや機構要素が配置されている。
【００３３】
前記タブレットＰＣ１は、画像測定機等の測定装置１００に無線又は有線で接続され、測定に関する指示を入力したり、測定結果を表示する等に使用される。
【００３４】
図４のように、タブレットＰＣ１は、上述のタッチパネル１０および接触センサー２０に加えて、通信回路２２、ストレージ２４、制御回路３０、および図示しないその他の構成要素を有する。通信回路２２は、タブレットＰＣ１と外部装置との無線通信および有線通信に用いられる。ストレージ２４は、ＨＤＤ（Ｈard  Ｄisk  Ｄrive）またはＳＳＤ（Ｓolid  Ｓtate  Ｄrive）であり、各種データの保存および一時記憶に用いられる。制御回路３０は、制御プログラムや各種アプリケーションを実行するコンピュータとしてのＣＰＵ（Ｃentral  Ｐrocessing  Ｕnit）３２、プログラム実行のワークエリアとされるＲＡＭ（Ｒandom  Ａccess  Ｍemory）３４、および制御の設定値を記憶する不揮発性メモリ３６を有する。
【００３５】
このようなタブレットＰＣ１における表示制御に関わる機能構成を図５に示す。図５のように、タブレットＰＣ１はドラッグ操作検知部４０と表示制御部４２とを有している。これらの構成要素は、制御回路３０のＣＰＵ３２が制御プログラムを実行することによって実現される。
【００３６】
ドラッグ操作検知部４０は、操作者の両手指をタッチパネル１０に押し付けたまま、タッチパネル１０の中央に向けてドラッグする第１の両手指ドラッグ操作と、タッチパネル１０の端に向けてドラッグする第２の両手指ドラッグ操作を検知する。
【００３７】
表示制御部４２は、ドラッグ操作検知部４０によって検知されたドラッグ操作に応じて表示を制御する。
【００３８】
以下、表示の具体例を挙げてタブレットＰＣ１における表示制御を説明する。
【００３９】
本発明の第１実施形態は、本発明を画像表示時の操作に適用したものである。画像の場合、通常、画像は画面内に埋め込まれ、アイコンのみ表示されていて画像自体は表示されていない非表示状態、又は、縮小表示状態で表示されていて、ユーザーが見たいものだけを選択してタップ操作することにより、画面全体にプレビューされることが多い。
【００４０】
そこで、図６（Ａ）に例示する如く、本発明に係る第１の両手指ドラッグ操作により、画面内に埋め込まれている画像をタップ操作無しで拡大できるようにする。拡大は段階的拡大でも良いし、連続的拡大でも良い。又、図６（Ｂ）に示す第２の両手指ドラッグ操作により画像が縮小するようにする。縮小は拡大時と同様に段階的又は連続的でも良いが、１回の縮小操作で元のサイズに戻っても良い。複数の画像が埋め込まれている場合は、スクロール操作により前後の画像が拡大表示されても良い。又、第１の両手指ドラッグ操作と第２の両手指ドラッグ操作への割当てを逆にしても良い。
【００４１】
以下、図７を参照して第１実施形態の具体的な処理手順の例を説明する。
【００４２】
まず、ステップ１００で、第１の両手指ドラッグ操作が行われたか否かを判定する。判定結果が正である場合には、ステップ１１０に進み、図６（Ａ）に例示したように画像を表示する。
【００４３】
次いで、ステップ１２０に進み、第１の両手指ドラッグ操作が再び行われたか否かを判定する。判定結果が正である場合には、ステップ１３０に進み、画像を拡大表示する。
【００４４】
次いで、ステップ１４０に進み、第２の両手指ドラッグ操作が行われたか否かを判定する。判定結果が正である場合には、ステップ１５０に進み、画像を縮小表示する。
【００４５】
ステップ１５０終了後、又は、ステップ１４０の判定結果が否である場合は、ステップ１２０に戻る。
【００４６】
一方、ステップ１２０の判定結果が否である場合には、ステップ１６０に進み、第２の両手指ドラッグ操作が行われたか否かを判定する。判定結果が正である場合にはステップ１７０に進み、図６（Ｂ）に例示したように、画像を埋め込む。
【００４７】
ステップ１７０終了後、又は、ステップ１６０の判定結果が否である場合は、ステップ１００に戻る。
【００４８】
次に、動画再生時に操作に適用した本発明の第２実施形態を説明する。動画の場合は、再生のためにタップ操作をしなければならない。又、全画面表示するためには、全画面ボタンもタップしなければならない。この２つの操作を、図８に例示する如く、本発明による両手指ドラッグ操作で実現する。
【００４９】
まず、１回目の第１の両手指ドラッグ操作で、図８（Ａ）に例示する如く、動画の再生を開始し、２回目の第１の両手指ドラッグ操作で、図８（Ａ）に破線で例示する如く、全画面表示にする。又は、１回目の第１の両手指ドラッグ操作で動画の再生開始と全画面表示を同時に行っても良い。あるいは、第１の両手指ドラッグ操作の開始と同時に動画の再生を開始すると共に、動画ウィンドウを拡大表示し始め、一定以上の拡大率を超えたら全画面表示にするというような変化をさせても良い。
【００５０】
動画の停止は、図８（Ｂ）の操作で行うが、まず、全画面から元の表示サイズに戻すか、あるいは、図８（Ｂ）の操作が継続したら停止しても良い。又、元のサイズに戻すのと動画の停止を同時に行っても良い。動画再生中に、図８（Ｂ）の第２の両手指ドラッグ操作と図８（Ａ）の第１の両手指ドラッグ操作をすることで、一時停止と再生を切り替えるようにしても良い。又、第１の両手指ドラッグ操作と第２の両手指ドラッグ操作への割当てを逆にしても良い。
【００５１】
図９に第２実施形態の具体的な処理手順の例を示す。
【００５２】
まず、ステップ２００で、第１の両手指ドラッグ操作が行われたか否かを判定する。判定結果が正である場合には、ステップ２１０に進み、図８（Ａ）に例示したように、動画再生を開始する。
【００５３】
次いで、ステップ２２０に進み、動画再生中に第１の両手指ドラッグ操作が再び行われたか否かを判定する。判定結果が正である場合にはステップ２３０に進み、全画面表示を行う。
【００５４】
次いで、ステップ２４０に進み、全画面表示中に第２の両手指ドラッグ操作が行われたか否かを判定する。判定結果が正である場合には、ステップ２５０に進み、動画ウィンドウをリサイズして元の大きさに戻す。
【００５５】
ステップ２５０終了後、又は、ステップ２４０の判定結果が否である場合には、ステップ２２０に戻る。
【００５６】
一方、ステップ２２０で第１の両手指ドラッグ操作が行われていないと判定されたときには、ステップ２６０に進み、第２の両手指ドラッグ操作が行われたか否かを判定する。判定結果が正である場合にはステップ２７０に進み、動画再生を一時停止する。
【００５７】
次いで、ステップ２８０に進み、第２の両手指ドラッグ操作が続けて行われたか否かを判定する。判定結果が正である場合にはステップ２９０に進み、動画再生を停止する。
【００５８】
ステップ２９０終了後、又はステップ２６０、２８０の判定結果が否である場合には、ステップ２００に戻る。
【００５９】
前記実施形態によれば、次のような効果を奏する。
【００６０】
（ｉ）立った状態でブラウジング
机の上にタブレットＰＣを置いた状態や座って膝の上にタブレットＰＣを置いた状態では、片手を自由に使えるので安定性もあり、落下も心配せず操作できる場合が多い。しかし、モバイルで使用する場合は、やはり立ったまま操作することも考えねばならない。例えばインターネットブラウジングにおいては、スクロールとハイパーリンクのタップに次ぐ頻度で画像の表示や動画の再生、そしてそれらの拡大表示操作が行われるが、現状ではそれらの操作は必ず片方の指でタッチ操作またはマルチタッチ操作を行う必要があり、その間はタブレットＰＣを片手で保持しなければならない。大型ディスプレイのタブレットＰＣの場合は、その重量ゆえに片手で持った状態で操作することが困難な場合は、広げた片方の手に載せるだけで操作しなければならない場合も考えられる。この状態は、非常に不安定で操作ミスも招きやすく、操作中にタブレットＰＣを落下する危険性も高かった。本発明により、大部分のブラウジング操作を両手でタブレットＰＣを保持したまま操作が可能になり、安全性や安定性が増し、使いやすさを格段に向上することができる。
【００６１】
（ii）寝た状態でブラウジング
仰向けで寝ている状態でブラウジングする場合は、両手でタブレットＰＣを保持するしかなく、片手を離す操作はほぼ不可能となる。胸の上にタブレットＰＣを置いたとしても片手を離す操作が多くなればなるほど、長時間の操作はできない。利き腕を下にして横向きに寝た場合はタップ操作が困難となり、利き腕を上にして横向きに寝た場合は片手で保持する時間を長くできない。入院患者のように寝ながらタブレットＰＣを操作するためには、両手でタブレットＰＣを保持したままの操作を増やすことが重要であり、本発明により格段にタブレットＰＣの使い勝手を向上することが可能である。
【００６２】
（iii）揺れる車内でのブラウジング
電車や車などの揺れる車内でタブレットＰＣを操作する場合は、片手を離して操作するのは非常に難しくなる。本発明により両手での操作を増やすことが可能となり、揺れる車内でも安定したブラウジングを可能とすることができる。
【００６３】
（iv）歩きながらのブラウジング
例えば、タブレットＰＣを両手で保持して地図等を見ながら目的地に向かって歩いている場合、ほとんど片手を離せる状況にはない。しかし、拡大縮小によって周囲の状況を確認したい場合も出てくる。現状では、どこかに座って安定性を確保した上で片手を離すしか無く、利便性を下げている。本発明により、両手でタブレットＰＣを保持したまま拡大縮小操作が可能となるため、歩きながら容易に操作することができる。
【００６４】
（ｖ）背面カメラで撮影した写真や動画のブラウジング
タブレットＰＣには、高解像度のカメラを背面に搭載している機種も多く、デジタルカメラやビデオカメラの代わりに使用するユーザーも少なくない。しかし、撮影したその場で結果を確認するためにはプレビューする画像の選択や動画の再生のためにタップ操作が必要となるため気軽に行えない。どこかに座るか跪いて膝の上にタブレットＰＣを置いてタップ操作するしかない。本発明により、画像の拡大や動画の再生がタブレットＰＣを両手で保持したまま行えるので、デジタルカメラやビデオカメラ、さらにはスマートフォンの液晶画面とは比較にならない大画面のディスプレイですぐに確認できるようになり、利用シーンを格段に広げることが可能となる。
【００６５】
なお、前記実施形態においては、本発明が測定装置に接続された場合を例示したが、本発明に係るタッチパネル式携帯端末は、このような例示に限定されず、タッチパネル式ＰＣを含む携帯端末一般に同様に適用できる。
【００６６】
これにより、次の効果が期待できる。
【００６７】
（Ｉ）利用者の拡大
握力の小さい子どもや老人に敬遠されがちだったタブレットＰＣを幅広い層のユーザーに使用可能な端末として提供することが可能となる。
【００６８】
（II）タブレットＰＣ利用シーンの拡大
片手保持の困難さから大画面の利点を活かせなかった次のような利用シーンにおいて、幅広い年齢層での利用拡大が期待できる。
・小学校等において児童がタブレットＰＣを手に持って発表
・老人会等において野山の散策時にタブレットＰＣでオリエンテーション
・スポーツ等においてタブレットＰＣで撮影した動画像でコーチング
・水族館や動物園等においてタブレットＰＣによる事典参照や観察記録
・美術館等においてタブレットＰＣによる展示物の作者や作品の調査
・タブレットＰＣで（ＧＰＳ等を活用した）地図情報と観光スポットの確認
等
【符号の説明】
【００６９】
１…タブレットＰＣ
２、４…手
１０…タッチパネル
２０…接触センサー
２２…通信回路
２４…ストレージ
３０…制御回路
３２…ＣＰＵ
３４…ＲＡＭ
３６…不揮発性メモリ
４０…ドラッグ操作検知部
４２…表示制御部
１００…測定装置
【図３】
2015108901.tif 000003
【図４】
2015108901.tif 000004
【図５】
2015108901.tif 000005
【図７】
2015108901.tif 000006
【図９】
2015108901.tif 000007
【図１】
2015108901.tif 000008
【図２】
2015108901.tif 000009
【図６】
2015108901.tif 000010
【図８】
2015108901.tif 000011